(57)【要約】【課題】冷温流体を冷却又は暖める冷温熱源装置１１と，前記冷温熱源装置からの冷温液体供給管路１３と前記冷温熱源装置への冷温液体戻り管路１４とに並列に接続した複数個の冷暖房用熱交換器１２と，前記冷温熱源装置における冷温流体を前記各冷暖房用熱交換器との間を循環するための電動モータ駆動の循環ポンプ１５と，前記各冷暖房用熱交換器ごとに設けた電動モータ駆動の個別ポンプ１６とを備えて成る空調システムにおいて，前記循環ポンプの駆動エネルギーの省力を図る。【解決手段】前記循環ポンプの回転数を，当該循環ポンプの駆動電力が前記各個別ポンプの消費電力の合計と同じになるか，或いは実質的に同じになるように制御する。【選択図】図４
2009270743.tif 000002
【特許請求の範囲】
【請求項１】
冷温流体を冷却又は暖めるようにした冷温熱源装置と，複数個の冷暖房用熱交換器とを備え，前記各冷暖房用熱交換器は，前記冷温熱源装置から延びる冷温液体供給管路と前記冷温熱源装置に戻る冷温液体戻り管路とに並列に接続されている一方，前記冷温熱源装置における冷温流体を当該冷温熱源装置と前記各冷暖房用熱交換器との間を循環するための電動モータ駆動の循環ポンプと，前記各冷暖房用熱交換器ごとに設けた電動モータ駆動の個別ポンプとを備え，この各個別ポンプにて，その各々における冷暖房用熱交換器にこれが受け持つ空調負荷に対応した流量の冷温流体を流すように構成されている空調システムにおいて，
前記循環ポンプにおける回転数は，当該循環ポンプを駆動するときの駆動電力が前記各個別ポンプにおける消費電力の合計と同じになるか，或いは実質的に同じになるように制御されていることを特徴とする空調システム。
【請求項２】
冷温流体を冷却又は暖めるようにした冷温熱源装置と，複数個の冷暖房用熱交換器とを備え，前記各冷暖房用熱交換器は，前記冷温熱源装置から延びる冷温液体供給管路と前記冷温熱源装置に戻る冷温液体戻り管路とに並列に接続されている一方，前記冷温熱源装置における冷温流体を当該冷温熱源装置と前記各冷暖房用熱交換器との間を循環するための電動モータ駆動の循環ポンプと，前記各冷暖房用熱交換器ごとに設けた電動モータ駆動の個別ポンプとを備え，この各個別ポンプにて，その各々における冷暖房用熱交換器にこれが受け持つ空調負荷に対応した流量の冷温流体を流すように構成されている空調システムにおいて，
前記循環ポンプにおける回転数は，当該循環ポンプを駆動するときの電流が前記各個別ポンプにおける電流の合計と同じになるか，或いは実質的に同じになるように制御されていることを特徴とする空調システム。
【請求項３】
前記請求項１又は２の記載において，前記各個別ポンプの回転数は，その各々における冷暖房用熱交換器の設置箇所を所定温度に維持するように制御されていることを特徴とする空調システム。
【発明の詳細な説明】
【技術分野】
【０００１】
本発明は，複数の冷暖房箇所を，単体の冷温熱源装置によって冷暖房するように構成した空調システムに関するものである。
【背景技術】
【０００２】
最近の空調システムの一つに，単体の冷温熱源装置において冷却又は暖めた冷温流体を，当該冷温熱源装置と複数個の冷暖房用熱交換器との間を循環ポンプにて循環することにより，前記各冷暖房用熱交換器の設置箇所を冷暖房するものがある。
【０００３】
この形式の空調システムにおいては，図１に示すように，水等の冷温流体を冷却又は暖めるようにした冷温熱源装置１と，複数個の冷暖房用熱交換器２とを備え，前記各冷暖房用熱交換器２を，前記冷温熱源装置１から延びる冷温液体供給管路３と，前記冷温熱源装置１に戻る冷温液体戻り管路４との間に並列に接続する一方，前記冷温熱源装置１における冷温流体を当該冷温熱源装置１と前記各冷暖房用熱交換器２との間を図に矢印で示すように循環するための回転式の循環ポンプ５を備えるという構成にしている。
【０００４】
先行技術としての特許文献１には，前記構成の空調システムにおいて，前記各冷暖房用熱交換器２の各々に，冷温流体の流量制御弁６を設けて，前記各冷暖房用熱交換器２に対する冷温流体の流量を，その各々における流量制御弁６にて増減調節することにより，前記各冷暖房用熱交換器２の設置箇所を所定の温度に維持するように構成する一方，前記各冷暖房用熱交換器２のうち任意の冷暖房用熱交換器における流量制御弁を閉じると，この分だけ，前記循環ポンプ５の回転数を，当該循環ポンプによる全体の循環流量を減少するように，インバータにて制御することにより，前記循環ポンプ５の駆動エネルギーを，複数箇所における空調負荷の変動にかかわらず常時最少に維持するようにすることが記載されている。
【０００５】
しかし，この構成によると，前記各冷暖房用熱交換器２の各々に設けた流量制御弁６には，これを冷温流体が通過するときの流れ抵抗が存在することにより，この分，エネルギー的に無駄であり，しかも，冷温流体における全体の循環を前記循環ポンプ５にて行うことにより，この循環ポンプ５における全揚程には，前記流量制御弁６における流れ抵抗を余分に加算しなければならないから，循環ポンプの大型化及び高価格化を招来するのであった。
【０００６】
そこで，別の先行技術としての特許文献２は，図２に示すように，前記各冷暖房用熱交換器２の各々に，前記流量制御弁６を設けることに代えて，電動モータ駆動の個別ポンプ７を設け，この個別ポンプ７における回転数を，その各々の冷暖房用熱交換器２にこれが受け持つ空調負荷に対応した流量の冷温流体を流するようにインバータにて制御することにより，当該冷暖房用熱交換器２の設置箇所を所定温度に維持するように構成する一方，前記循環ポンプ５における回転数を，前記各冷暖房用熱交換器２ごとへの冷温液体供給管路３と，前記各冷暖房用熱交換器２からの冷温液体戻り管路４との間の圧力差が「零」になるようにインバターにて制御することを提案している。
【０００７】
この特許文献２に記載の技術によると，流量制御弁における流れ抵抗による無駄なエネルギーの損失を無くすることができ，しかも，前記各冷暖房用熱交換器ごとに設けた個別ポンプ７は，冷温流体を全体に循環することに要する全抵抗のうち個々の冷暖房用熱交換器２を通過することに要する流れ抵抗を分担することにより，前記循環ポンプ５における全揚程を，前記流量制御弁がない分及び前記個別ポンプ７が分担する分だけ低くできるから，その小型化及び低価格化を図ることができる利点がある。
【０００８】
しかし，その反面，以下に述べるように，前記循環ポンプ５の駆動エネルギーを，複数箇所における空調負荷の変動にかかわらず常時最少に維持することを安定して達成できないという問題がある。
【特許文献１】特開２００３−２０７１９０号公報
【特許文献２】特開２００５−１４７５２８号公報
【発明の開示】
【発明が解決しようとする課題】
【０００９】
すなわち，前記図２の構成において，その各冷暖房用熱交換器２ごとへの冷温液体供給管路３と，前記各冷暖房用熱交換器２からの冷温液体戻り管路４との間の圧力差が「零」になるのは，前記個別ポンプ７における全揚程が，冷温流体が冷暖房用熱交換器を通過するときの流れ抵抗を過不足なく丁度受け持っている場合に限られる。
【００１０】
ところが，前記各個別ポンプに使用される回転式のポンプにおいて，その揚程は，その吐出流量に対して，図３に実線Ａで示す揚程曲線のように，吐出流量が低いときに高くて，吐出流量が増大するにつれて低くなるというように反比例の関係にある。
【００１１】
これに対して，前記各冷暖房用熱交換器において，これを冷温流体が通過するときの流れ抵抗は，その流量に対して，流量が少ないときには小さくて，その流量が増大するにつれて大きくなるというように正比例の関係にある。
【００１２】
これにより，前記各個別ポンプによる流量を，その各々における冷暖房用熱交換器が受け持つ空調負荷の減少に合わせて少なくした場合，この個別ポンプにおける全揚程が，前記冷暖房用熱交換器における流れ抵抗を越えることになるから，前記冷温液体戻り管路４における圧力が，前記冷温液体供給管路３における圧力よりも，前記個別ポンプにおける全揚程が流れ抵抗を越える分だけ高くなるという状態を招来する場合がある。
【００１３】
また，前記個別ポンプによる流量を，その各々における冷暖房用熱交換器が受け持つ空調負荷の増加に合わせて多くした場合，前記個別ポンプにおける全揚程が，前記冷暖房用熱交換器における流れ抵抗に到達しないことになるから，前記冷温液体戻り管路４における圧力が，前記個別ポンプにおける揚程のために，前記冷温液体供給管路３における圧力よりも，前記個別ポンプにおける揚程が流れ抵抗に到達しない分だけ低くなるという状態を招来する場合がある。
【００１４】
従って，このような場合においては，前記循環ポンプの回転数をインバータ制御したとしても，前記圧力差は「零」になり得る筈がないから，前記特許文献２に記載の技術では，前記循環ポンプ５の駆動エネルギーを複数箇所における空調負荷の変動にかかわらず常時最少に維持することを安定して達成できないのである。
【００１５】
本発明は，回転式ポンプを電動モータにて回転駆動することに要する消費電力は，当該ポンプにおける揚程に対して，前記図３に点線Ｂで示す動力曲線のように，揚程が低いときに少なくて，揚程が高くにつれて増大するというように正比例の関係にあり，また，前記電力は，電流と一定電圧との積であることにより，電流も，前記動力の場合と同様に揚程に対して正比例の関係にあることに着目し，このことを利用して，前記循環ポンプの駆動エネルギーを複数箇所における空調負荷の変動にかかわらず常時最少に維持することが安定して確実に達成できるようにすることを技術的課題とする。
【課題を解決するための手段】
【００１６】
この技術的課題を達成するために本発明の請求項１は，
「冷温流体を冷却又は暖めるようにした冷温熱源装置と，複数個の冷暖房用熱交換器とを備え，前記各冷暖房用熱交換器は，前記冷温熱源装置から延びる冷温液体供給管路と前記冷温熱源装置に戻る冷温液体戻り管路とに並列に接続されている一方，前記冷温熱源装置における冷温流体を当該冷温熱源装置と前記各冷暖房用熱交換器との間を循環するための電動モータ駆動の循環ポンプと，前記各冷暖房用熱交換器ごとに設けた電動モータ駆動の個別ポンプとを備え，この各個別ポンプにて，その各々における冷暖房用熱交換器にこれが受け持つ空調負荷に対応した流量の冷温流体を流すように構成されている空調システムにおいて，
前記循環ポンプにおける回転数は，当該循環ポンプを駆動するときの駆動電力が前記各個別ポンプにおける消費電力の合計と同じになるか，或いは実質的に同じになるように制御されている。」
ことを特徴としている。
【００１７】
また，本発明の請求項２は，
「冷温流体を冷却又は暖めるようにした冷温熱源装置と，複数個の冷暖房用熱交換器とを備え，前記各冷暖房用熱交換器は，前記冷温熱源装置から延びる冷温液体供給管路と前記冷温熱源装置に戻る冷温液体戻り管路とに並列に接続されている一方，前記冷温熱源装置における冷温流体を当該冷温熱源装置と前記各冷暖房用熱交換器との間を循環するための電動モータ駆動の循環ポンプと，前記各冷暖房用熱交換器ごとに設けた電動モータ駆動の個別ポンプとを備え，この各個別ポンプにて，その各々における冷暖房用熱交換器にこれが受け持つ空調負荷に対応した流量の冷温流体を流すように構成されている空調システムにおいて，
前記循環ポンプにおける回転数は，当該循環ポンプを駆動するときの電流が前記各個別ポンプにおける電流の合計と同じになるか，或いは実質的に同じになるように制御されている。」
ことを特徴としている。
【００１８】
更にまた，本発明の請求項３は，
「前記請求項１又は２の記載において，前記各個別ポンプの回転数は，その各々における冷暖房用熱交換器の設置箇所を所定温度に維持するように制御されている。」
ことを特徴としている。
【発明の効果】
【００１９】
一般に，回転式のポンプを電動モータにて駆動するときにおける消費電力は，当該ポンプにおける送出流量に対して，前記したように，吐出流量が少ないときには低くて，吐出流量が増加するにつれて高くなるというように正比例の関係にあるから，その消費電力を検出することにより，当該ポンプにおける吐出流量を知ることができる。
【００２０】
従って，前記複数の各冷暖房用熱交換器ごとに設けた個別ポンプにおける消費電力を検出することにより，前記各冷暖房用熱交換器を通過する冷温流体の流量を知ることができるから，この各個別ポンプにおける消費電力を検出して合計することにより，前記各冷暖房用熱交換器の各々が受け持つ空調負荷を合計した全体の空調負荷を得ることができる全体の循環流量が判る。
【００２１】
そこで，前記請求項１に記載したように，全体の循環を行う循環ポンプにおける回転数を，当該循環ポンプを駆動するときの駆動電力が前記各個別ポンプにおける消費電力の合計と同じになるか，或いは実質的に同じになるように制御することにより，前記循環ポンプによる全体の循環流量を，複数個の各暖房用熱交換器において所定の空調負荷を得ることができる流量の合計に，正しく一致できるか，又は実質的に一致させることができるとともに，この正しく一致又は実質的に一致した状態を，前記各暖房用熱交換器において受け持つ空調負荷の変動にかかわらず，常時維持することができる。
【００２２】
これにより，前記循環ポンプの駆動エネルギーを，複数箇所における空調負荷の変動にかかわらず常時最少に維持することが，安定して確実に達成できる効果を有する。
【００２３】
また，回転式ポンプを電動モータにて回転駆動するときの電力は，電流と一定電圧との積であることにより，電流は，前記動力の場合と同様に揚程に対して正比例の関係にあるから，前記した効果は，請求項２の記載によっても達成することができるほか，この請求項２の電流に基づく制御を採用することにより，電力に基づく制御の場合よりも，制御の精度及び安定性をより向上できるとともに，装置の低価格化を達成できる。
【００２４】
特に，請求項３の記載によると，前記各暖房用熱交換器の設置箇所を，所定温度に維持するように自動制御することができる。
【発明を実施するための最良の形態】
【００２５】
以下，本発明の実施の形態を図面について説明する。
【００２６】
図４は，本発明の実施の形態を示す。
【００２７】
この図において，符号１１は冷温熱源装置を，符号１２は複数個の冷暖房用熱交換器を各々示し，前記冷温熱源装置１１は，水等の冷温流体を冷却又は暖めるという構成であり，図５は，この冷温熱源装置１１における一つの例を，図６は，この冷温熱源装置１１における別の例を各々示している。
【００２８】
一方，前記冷暖房用熱交換器１２は，複数の冷暖房箇所ごとに配設されるか或いは一つの冷暖房箇所に配設され，これらの冷暖房箇所（冷暖房用熱交換器１２の設置箇所）を，前記冷温熱源装置１１にて冷却又は暖めた冷温流体との間接的な熱交換にて冷房又は暖房するという構成である。
【００２９】
前記複数個の各冷暖房用熱交換器１２は，前記冷温熱源装置１１から前記各冷暖房用熱交換器１２に延びる冷温液体供給管路１３と，前記各冷暖房用熱交換器１２から前記冷温熱源装置１１に戻る冷温液体戻り管路１４との間に，並列に接続されている。
【００３０】
前記冷温液体供給管路１３及び前記冷温液体戻り管路１４のうちいずれか一方又は両方には，電動モータにて駆動される回転式の循環ポンプ１５が設けられ，この循環ポンプ１５により，前記冷温熱源装置１１における冷温流体を，当該冷温熱源装置１１と前記各冷暖房用熱交換器１２との間を，図に矢印で示すように循環する構成にしている。
【００３１】
また，前記各冷暖房用熱交換器１２のうち例えば入口側の部位，つまり，前記冷温液体供給管路１３への接続箇所の部位の各々には，電動モータにて駆動される回転式の個別ポンプ１６が設けられ，この個別ポンプ１６により，前記冷温液体供給管路１３における冷温流体を各冷暖房用熱交換器１２に送り込むように構成している。
【００３２】
この各個別ポンプ１６における回転数は，前記各冷暖房用熱交換器１２の設置箇所ごとに設けられている温度センサ１７による温度検出に応じて，所定の冷房温度又は暖房温度を維持するように，換言すると，前記各暖房用熱交換器１２において所定の空調負荷を得るようにインバータにて制御されている。
【００３３】
そして，符号１８で示すコントローラは，前記各個別ポンプ１６を駆動しているときの消費電力を入力して，これらの各消費電力の合計を演算する。
【００３４】
更に，前記コントローラ１８は，前記循環ポンプ１５における回転数を，当該循環ポンプ１５を駆動することに要する駆動電力が前記各個別ポンプ１６における消費電力の合計と同じになるか，或いは実質的に同じになるようにインバータにて制御するという構成である。
【００３５】
次に，図５は，前記冷温熱源装置１１の一つの例を示している。
【００３６】
この図５において，符号１９は，密閉構造にした第１容器を，符号２０は，同じく密閉構造にした第２容器を各々示し，これら両容器１９，２０のうちいずれか一方又は両方には，前記第１容器１９及び前記第２容器２０内の両方を大気圧より低い減圧にするための真空ポンプ２１等の真空発生装置が接続されている。
【００３７】
前記第１容器１９の底部と前記第２容器２０の底部とは，連通管２２を介して互いに接続されている一方，前記第１容器１９の底部には，前記冷温熱源装置１１から前記各冷暖房用熱交換器１２への前記冷温液体供給管路１３が接続されている一方，この第１容器１９内の上部に設けたノズル２３には，前記各冷暖房用熱交換器１２から前記冷温熱源装置１１への前記冷温液体戻り管路１４が接続されている。
【００３８】
従って，前記第１容器１９内における冷温流体は，前記循環ポンプ１５にて，前記冷温液体供給管路１３を介して前記各冷暖房用熱交換器１２に供給され，この各冷暖房用熱交換器１２から前記冷温液体戻り管路１４を介して再び前記第１容器１９内の上部にノズル２３から噴出して戻るというように循環される。
【００３９】
一方，前記第２容器２０内における水等の冷温流体は，循環ポンプ２４を備えた供給管路２５にて汲み出され，密閉型に構成した放吸熱用熱交換器２６に送られ，この放吸熱用熱交換器２６から戻り管路２７を介して再び前記第２容器２０内の上部に設けたノズル２８から噴出するように戻すという循環を行うように構成している。
【００４０】
この場合，前記放吸熱用熱交換器２６は，屋外に設置した通風塔２９の内部に設けられ，その外側を，ポンプ３０にて循環する水を散布することに加えて，フアン３１にて大気の空気を強制通風することにより，冷却（放熱）と吸熱とを行うように構成している。
【００４１】
更に，前記第１容器１９の上部と前記第２容器２０の上部の間は，蒸気ダクト３２を介して接続され，この蒸気ダクト３２の途中には，回転式蒸気圧縮機における一つの例であるところのルーツ式圧縮機３３が設けられており，このルーツ式圧縮機３３は，正逆回転が可能の構成である。
【００４２】
この構成において，冷房に際しては，前記冷温熱源装置１１におけるルーツ式圧縮機３３を，図５に矢印３３′で示すように，前記第１容器１９から前記第２容器２０の方向に蒸気圧縮を行うように正回転にする。
【００４３】
これにより，前記第１容器１９における冷温流体は沸騰蒸発し，この沸騰蒸発にて所定温度に冷却され，その冷却された冷温流体は，循環ポンプ１５及び冷温液体供給管路１３を経て，前記各冷暖房用熱交換器１２に，その各々における個別ポンプ１６により送られたのち，前記各冷暖房用熱交換器１２から冷温液体戻り管路１４を経て再び前記第１容器１９に戻って沸騰蒸発することを繰り返す一方，前記第１容器１９内での沸騰蒸発にて発生した蒸気は前記ルーツ式圧縮機３３にて圧縮されたのち前記第２容器２０に至り，ここにおける冷温流体にて凝縮され，この蒸気凝縮にて温度が高くなった冷温流体は放吸熱用熱交換器２６に送られてここでの大気空気との熱交換にて冷却（放熱）されたのち再び前記第２容器２０に戻って蒸気を凝縮することを繰り返すから，前記複数の各冷暖房用熱交換器１２を設置した箇所の冷房を行うことができる。
【００４４】
この冷房中において，前記各冷暖房用熱交換器１２の設置箇所は，その各々における個別ポンプ１６における回転数が温度センサ１７による温度検出に応じてインバータにて制御されることにより，所定の冷房温度に，自動的に維持される。
【００４５】
また，暖房に際しては，前記冷温熱源装置１１におけるルーツ式圧縮機３３を，今度は，図５に矢印３３″で示すように，前記第２容器２０から前記第１容器１９の方向に蒸気圧縮を行うように逆回転にする。
【００４６】
これにより，前記第２容器２０における冷温流体は沸騰蒸発し，この沸騰蒸発にて所定温度に冷却されたのち放吸熱用熱交換器２６に送られ，ここで大気空気との熱交換にて暖め（吸熱）られたのち再び前記第２容器２０に戻って沸騰蒸発することを繰り返す一方，前記第２容器２０内での沸騰蒸発にて発生した蒸気は前記ルーツ式圧縮機３３で圧縮されたのち前記第１容器１９に至り，ここにおける冷温流体にて凝縮され，この蒸気凝縮にて温度が高くなるように暖められた冷温流体は，循環ポンプ１５及び冷温液体供給管路１３を経て，前記各冷暖房用熱交換器１２に，その各々における個別ポンプ１６により送られたのち，前記各冷暖房用熱交換器１２から冷温液体戻り管路１４を経て再び前記第１容器１９に戻って蒸気凝縮することを繰り返すから，前記複数の各冷暖房用熱交換器１２を設置した箇所の暖房を行うことができる。
【００４７】
この暖房中において，前記各冷暖房用熱交換器１２の設置箇所は，その各々における個別ポンプ１６における回転数が温度センサ１７による温度検出に応じてインバータにて制御されることにより，所定の暖房温度に，自動的に維持される。
【００４８】
なお，前記放吸熱用熱交換器２６における放熱又は吸熱に際しては，前記したように，大気空気を使用することに代えて，地下水を使用するか，或いは，地下熱を使用する構成にすることができる。
【００４９】
ところで，回転式のポンプにおける揚程は，その吐出流量に対して，図３に実線Ａで示す揚程曲線のように，吐出流量が低いときに高くて，吐出流量が増大するにつれて低くなるというように反比例の関係にあるが，前記回転式のポンプを電動モータにて駆動するときにおける消費電力は，当該ポンプにおける送出流量に対して，図３に点線Ｂで示す電力曲線のように，吐出流量が少ないときに低くて，吐出流量が増加するにつれて高くなるというように正比例の関係にあるから，その消費電力を検出することにより，当該ポンプにおける吐出流量を知ることができる。
【００５０】
従って，前記複数の各冷暖房用熱交換器１２ごとに設けた個別ポンプ１６における消費電力を検出することにより，前記各冷暖房用熱交換器１２を通過する冷温流体の流量を知ることができるから，この各個別ポンプ１６における消費電力を検出して合計することにより，前記各冷暖房用熱交換器１２の各々が受け持つ空調負荷を合計した全体の空調負荷を得ることができる全体の循環流量が判る。
【００５１】
そこで，前記全体の循環を行う循環ポンプ１５における回転数を，当該循環ポンプ１５を駆動するときの駆動電力が前記各個別ポンプにおける消費電力の合計と同じになるか，或いは実質的に同じになるように，インバータにて制御することにより，前記循環ポンプ１５による全体の循環流量を，複数個の各冷暖房用熱交換器１２において所定の空調負荷を得ることができる流量の合計に，正しく一致できるか，又は実質的に一致させることができるとともに，この正しく一致又は実質的に一致した状態を，前記各冷暖房用熱交換器において受け持つ空調負荷の変動にかかわらず，常時維持することができる。
【００５２】
また，前記各個別ポンプ１６を駆動するときの消費電力，及び前記循環ポンプ１５を駆動することに要する駆動電力は，電流と一定電圧との積であることにより，前記循環ポンプ１５における回転数を，当該循環ポンプ１５を駆動するときの電流値が前記各個別ポンプ１６における電流の合計と同じになるか，或いは実質的に同じになるように制御するように構成することにより，同様の効果を得ることができる。
【００５３】
また，前記図５に示す，一つの例としての冷温熱源装置１１は，前記第１容器１９の上部と前記第２容器２０の上部とを接続する蒸気ダクト３２に設けたルーツ式圧縮機３３を正逆回転することにより，冷房と暖房とを行うように構成した場合であったが，図６に示すように，前記蒸気ダクト３２に，前記ルーツ式圧縮機３３等の蒸気圧縮機に対するバイパス弁３４を設け，冷房のときには，前記バイパス弁３４を閉じた状態で，前記ルーツ式圧縮機３３を矢印３３′の方向に蒸気圧縮を行うように回転駆動しているが，暖房のときには，前記ルーツ式圧縮機３３を停止した状態で，前記バイパス弁３４を開くことによって，第２容器２０で発生した蒸気を，第１容器１９に導き，この蒸気により，当該第１容器１９と前記各冷暖房用熱交換器１２との間を循環する冷温流体を暖めるという構成にすることができる。
【００５４】
更にまた，本発明における「冷温熱源装置」としては，前記図５及び図６に図示したものに限らず，別の構成によって水等の冷温流体の冷却と暖めとを行うものを使用できることはいうまでもない。
【図面の簡単な説明】
【００５５】
【図１】先行技術の空調システムを示す図である。
【図２】別の先行技術の空調システムを示す図である。
【図３】回転式ポンプにおける揚程曲線及び動力曲線を示す図である。
【図４】本発明の実施に形態の空調システムを示す図である。
【図５】前記本発明の実施に形態の空調システムに使用する冷温熱源装置の一例を示す図である。
【図６】前記本発明の実施に形態の空調システムに使用する冷温熱源装置の別の例を示す図である。
【符号の説明】
【００５６】
１１                  冷温熱源装置
１２                  冷暖房用熱交換器
１３                  冷温液体供給管路
１４                  冷温液体戻り管路
１５                  循環ポンプ
１６                  個別ポンプ
１７                  温度センサ
１８                  コントローラ
【図１】
2009270743.tif 000003
【図２】
2009270743.tif 000004
【図３】
2009270743.tif 000005
【図４】
2009270743.tif 000006
【図５】
2009270743.tif 000007
【図６】
2009270743.tif 000008